(57)【要約】【課題】  空調機を利用する利用者の快適性をなるべく損なわずに空調機の省エネルギーが可能な空調管理システム及びそのプログラムと、空調機を提供すること。【解決手段】空調制御装置２０は、太陽光を受光して空調制御の指標となる所定の実測値を測定する照度計５０から、伝送線Ｌ２、中継装置３０及び伝送線Ｌ１を介して実測値を入力する第２データ入出力部２４と、省エネルギー制御対象の空調機４０の運転モードが冷房運転モードであるとき、第２データ入出力部２４で入力した実測値と空調制御用に設定された冷房時の設定閾値とを比較し、実測値が冷房時の設定閾値以下または設定閾値未満と判定された場合に当該空調機４０の設定温度を所定温度上げる処理を実行するとともに、冷房運転モードのときには第２データ入出力部２４からの実測値に基づく空調機４０の設定温度の変更は温度を上げる方向のみ行う設定温度変更部２２６とを具備する。【選択図】  図８
2011064344.tif 000002
【特許請求の範囲】
【請求項１】
リモコンから設定温度の変更を受付可能な１または複数の空調機と、伝送経路を介して前記空調機を制御する空調制御装置とを備える空調管理システムであって、
前記空調制御装置は、
太陽光を受光して空調制御の指標となる所定の実測値を測定する測定手段から、伝送経路を介して前記実測値を入力する入力部と、
省エネルギー制御対象の空調機の運転モードが冷房運転モードであるとき、前記入力部で入力した前記実測値と空調制御用に設定された冷房時の設定閾値とを比較し、前記実測値が前記冷房時の設定閾値以下または設定閾値未満と判定された場合に当該空調機の設定温度を所定温度上げる処理を実行するとともに、前記冷房運転モードのときには前記入力部からの前記実測値に基づく前記空調機の設定温度の変更は温度を上げる方向のみ行う設定温度変更手段とを具備することを特徴とする空調管理システム。
【請求項２】
前記設定温度変更手段は、
省エネルギー制御対象の空調機の運転モードが暖房運転モードであるとき、前記入力部で入力した前記実測値と空調制御用に設定された暖房時の設定閾値とを比較し、前記実測値が前記暖房時の設定閾値より大きいまたは設定閾値以上と判定された場合に当該空調機の設定温度を所定温度下げる処理を実行するとともに、前記暖房運転モードのときには前記入力部からの前記実測値に基づく前記空調機の設定温度の変更は温度を下げる方向のみ行うことを特徴とする請求項１に記載の空調管理システム。
【請求項３】
前記設定閾値を設定する閾値設定手段を具備した中央監視装置を更に備え、
前記空調制御装置は、
前記閾値設定手段で設定された設定閾値を記憶手段に記憶することを特徴とする請求項１または２に記載の空調管理システム。
【請求項４】
前記中央監視装置と１または複数の前記空調制御装置との間の通信プロトコルとして、国際通信規格であるＢＡＣｎｅｔ（A Data Communication Protocol for Building Automation and Control Networks）を用いることを特徴とする請求項３に記載の空調管理システム。
【請求項５】
前記測定手段は、照度を測定する照度計であり、
前記実測値が実測照度値で、前記設定閾値が設定照度閾値であることを特徴とする請求項１〜４のいずれか一項に記載の空調管理システム。
【請求項６】
リモコンから設定温度の変更を受付可能な１または複数の空調機を伝送経路を介して制御する空調制御装置に実装されるコンピュータで解釈実行されるプログラムであって、
太陽光を受光して空調制御の指標となる所定の実測値を測定する測定手段から、伝送経路を介して前記実測値を入力する入力ステップと、
省エネルギー制御対象の空調機の運転モードが冷房運転モードであるとき、前記入力ステップで入力した前記実測値と空調制御用に設定された冷房時の設定閾値とを比較し、前記実測値が前記冷房時の設定閾値以下または設定閾値未満と判定された場合に当該空調機の設定温度を所定温度上げる処理を実行するとともに、前記冷房運転モードのときには前記入力ステップからの前記実測値に基づく前記空調機の設定温度の変更は温度を上げる方向のみ行う設定温度変更ステップと
を前記コンピュータに実行させることを特徴とするプログラム。
【請求項７】
前記設定温度変更ステップは、
省エネルギー制御対象の空調機の運転モードが暖房運転モードであるとき、前記入力ステップで入力した前記実測値と空調制御用に設定された暖房時の設定閾値とを比較し、前記実測値が前記暖房時の設定閾値より大きいまたは設定閾値以上と判定された場合に当該空調機の設定温度を所定温度下げる処理を実行するとともに、前記暖房運転モードのときには前記入力ステップからの前記実測値に基づく前記空調機の設定温度の変更は温度を下げる方向のみ行うことを特徴とする請求項６に記載のプログラム。
【請求項８】
リモコンから設定温度の変更を受付可能な空調機であって、
太陽光を受光して空調制御の指標となる所定の実測値を測定する測定手段から、伝送経路を介して前記実測値を入力する入力部と、
当該空調機の運転モードが冷房運転モードであるとき、前記入力部で入力した前記実測値と空調制御用に設定された冷房時の設定閾値とを比較し、前記実測値が前記冷房時の設定閾値以下または設定閾値未満と判定された場合に当該空調機の設定温度を所定温度上げる処理を実行するとともに、前記冷房運転モードのときには前記入力部からの前記実測値に基づく前記空調機の設定温度の変更は温度を上げる方向のみ行う設定温度変更手段とを具備することを特徴とする空調機。
【請求項９】
前記設定温度変更手段は、
当該空調機の運転モードが暖房運転モードであるとき、前記入力部で入力した前記実測値と空調制御用に設定された暖房時の設定閾値とを比較し、前記実測値が前記暖房時の設定閾値より大きいまたは設定閾値以上と判定された場合に当該空調機の設定温度を所定温度下げる処理を実行するとともに、前記暖房運転モードのときには前記入力部からの前記実測値に基づく前記空調機の設定温度の変更は温度を下げる方向のみ行うことを特徴とする請求項８に記載の空調機。
【発明の詳細な説明】
【技術分野】
【０００１】
本発明は、空調機の運転を制御／管理する空調管理システム及びそのプログラムと、空調機に関する。
【背景技術】
【０００２】
近年では、ビルなどに設置された空調設備、照明設備、防犯設備、防災設備、昇降設備などの様々な設備を１台の中央監視装置で一括監視することが可能なＢＡＣｎｅｔ（登録商標）準拠のビル管理システムが提供されており、そのビル監視システムのサブシステムの１つとして空調管理システム（例えば、特許文献１参照）が知られている。
【０００３】
この空調管理システムでは、中央監視装置（１０）と空調管理装置（２０）（空調制御装置ともいう）との間の通信プロトコルとして国際通信規格であるＢＡＣｎｅｔを用いているため、ＢＡＣｎｅｔに対応した装置であればベンダ（メーカや販売会社）を問わず空調管理装置３０として用いることができ、コスト、規模、機能などの種々の目的に応じてマルチベンダによる柔軟なシステム構築が可能であることから、最近特に普及している。
【０００４】
ところで、前記した空調管理システムを含む従来の空調管理システムにおいては、空調機の消費電力の節約を図る省エネルギー制御機能として「間欠運転制御」や「サイクル運転制御」なる機能を搭載したものが提供されている。
【０００５】
ここで、間欠運転制御とは、複数の空調機に、所定時間（例えば、「１時間」など）の運転、所定時間（例えば、「１０分」など）の運転停止を交互に繰り返し実行させることで、空調機の消費電力の節約を図るようにした省エネルギー制御機能のことであり、サイクル運転制御とは、複数の空調機を１台ずつ順番に所定時間（例えば、「３時間」など）停止させることで、空調機の消費電力の節約を図るようにした省エネルギー制御機能のことである。
【０００６】
また、従来では、空調室を区分けした空調ゾーン毎に日射の影響を考慮した空調制御を行う空調装置（例えば、特許文献２参照）が知られている。
【０００７】
この空調装置によれば、日射量測定センサで測定された日射量の変化に応じて空調ゾーン毎の空調設定温度を補正することができるので、例えば、夏期などにおける空調機の利用形態においては、日射量が多い空調ゾーンに関連付けられた空調機の空調設定温度を下げることで、当該空調ゾーンに居る人の温熱環境を快適にでき、また、冬期などにおける空調機の利用形態においては、日射量が少ない空調ゾーンに関連付けられた空調機の空調設定温度を上げることで、当該空調ゾーンに居る人の温熱環境を快適にできるものである。
【先行技術文献】
【特許文献】
【０００８】
【特許文献１】特開２００８−１０１７９９号公報（段落００１０）
【特許文献２】特開平６−３３７１４７号公報（段落０００４、段落００１２）
【発明の概要】
【発明が解決しようとする課題】
【０００９】
しかしながら、従来の省エネルギー制御機能では、以下のような問題がある。
【００１０】
例えば、前記した間欠運転制御では、運転停止中の空調機付近の空気の流れが無くなるため、その空調機の付近に居る人に不快感を与えてしまうなどの問題がある。また、リモコン操作が禁止されていない場合の間欠運転制御においては、間欠運転で空調機が運転停止した場合に、利用者がリモコンで空調機の運転を再開させてしまい、省エネルギーを期待することができないなどの問題がある。
【００１１】
また、前記したサイクル運転制御では、１台の空調機を長時間停止させることで、前記間欠運転制御に比べ、より省エネルギー効果を期待できるものの、１台の空調機を長時間停止させるため、前記間欠運転制御に比べ、運転停止中の空調機の付近に居る人の不快感が増加するなどの問題がある。
【００１２】
また、本出願人は、従来の空調管理システムの利用形態（特に、省エネルギー制御機能を搭載していない空調管理システム）において、以下に示す如く、空調機の消費電力の節約を図る余地があることに着眼した。
【００１３】
従来、例えば、夏期などで空調機に冷房運転を行わせる利用形態において、オフィスや工場などの窓際で仕事をしている人は、日中の日差しや西日などによって暑く感じた場合、涼しくなろうとしてリモコンで空調機の設定温度を下げることが多い。しかし、そのように設定温度を下げた後に、太陽が雲に隠れて比較的長い間日差しが弱くなったり、日が沈んで日差しが無くなったりして、実際にはさほど暑さを感じなくなった場合でも、窓際の人はわざわざリモコンで空調機の設定温度を上げよう（前の設定温度に戻そう）とはしない。
【００１４】
また、冬期などで空調機に暖房運転を行わせる利用形態において、窓際の人は、日中の日差しや西日などによって少し暑いまたは暖かいと感じた場合があったとしても、窓際の人はわざわざリモコンで空調機の設定温度を下げようとはしない。
【００１５】
即ち、従来の空調管理システムの利用形態にあっては、運転モード（冷房運転モード／暖房運転モード）別に、日差しの強弱によって空調機の設定温度を変更することで空調機の省エネルギーが可能な状況があるにもかからず、実際には利用者（窓際の人など）によって省エネルギーのための設定温度の変更が行われていないため、空調機の電力を無駄に消費していた。
【００１６】
また、特許文献２の空調装置では、空調室の空調ゾーン毎の温熱環境を常に快適にするための空調制御を行っており、空調機の消費電力の節約を図ることはできないものである。
【００１７】
本発明は、前記した従来の課題を解決するものであり、利用者（日射の影響を受ける利用者及び日射の影響を受けない利用者）の快適性をなるべく損なうことなく空調機の省エネルギーが可能な空調管理システム及びそのプログラムと、空調機を提供することを目的とする。
【課題を解決するための手段】
【００１８】
前記課題を解決するため、運転モード（冷房運転モード／暖房運転モード）別に、日差しの強弱によって省エネルギー制御対象の空調機の省エネルギーが可能な状況であると判断した場合に、システム側で自動的に省エネルギー方向に当該空調機の設定温度を変更するとともに、日差しの強弱が逆になったとしても省エネルギー方向とは逆方向には自動的には設定温度を変更しない（必要な場合は利用者にリモコンで設定温度を変更させる）、すなわち、日差しの強弱によって自動的に設定温度を変更するのは省エネルギー方向のみに限定することを特徴とする。
【発明の効果】
【００１９】
本発明によれば、利用者（日射の影響を受ける利用者及び日射の影響を受けない利用者）の快適性をなるべく損なうことなく空調機の省エネルギーが可能な空調管理システム及びそのプログラムと、空調機を提供することができる。
【図面の簡単な説明】
【００２０】
【図１】本発明が適用される空調管理システムをサブシステムとして含むビル監視システムの概略構成を示す外観構成図である。
【図２】図１に示したビル監視システムに含まれる本発明の空調管理システムの構成を示すブロック図である。
【図３】中央監視装置の一構成例を示すブロック図である。
【図４】表示処理部で表示される設定照度閾値の設定画面の一構成例を示す図である。
【図５】本発明のプログラムが適用された空調管理用ソフトウエアを展開、実行することにより実現される閾値設定部の機能構成を示す機能ブロック図である。
【図６】空調制御装置の一構成例を示すブロック図である。
【図７】空調機情報テーブル及び照度計情報テーブルの一構成例を示すテーブル図である。
【図８】本発明のプログラムが適用された省エネ制御プログラムを展開、実行することにより実現される省エネ制御部の機能構成を示す機能ブロック図である。
【図９】省エネ制御部で実行される省エネ制御処理の流れを示すフローチャートである。
【図１０】本発明を適用した空調機の一構成例を示すブロック図である。
【発明を実施するための形態】
【００２１】
以下、本発明の実施形態について添付図面を参照して説明する。
【００２２】
なお、本発明は、空調機の運転を制御／管理する空調管理システム及びそのプログラムと、空調機単体に適用されるものであるが、以下の実施形態では、ビル内に設置された空調設備、照明設備、防犯設備、防災設備、昇降設備などの様々な設備を１つの中央監視装置で一括監視することが可能なＢＡＣｎｅｔ準拠のビル管理システムに含まれる空調管理システム及びそのプログラムと、空調機単体に本発明を適用した場合について説明する。
（空調管理システムの構成）
【００２３】
図１は、本発明が適用される空調管理システム１をサブシステムとして含むビル監視システムＡの概略構成を示す外観構成図である。
【００２４】
図示のように、このビル監視システムＡは、中央監視装置１０と、空調設備ＣＦ、照明設備ＩＦ、防犯設備ＰＦ、防災設備（不図示）、昇降設備ＥＦなどの種々のビル設備とを主体に構成され、中央監視装置１０と、前記各設備における制御装置｛空調制御装置（２０）、照明制御装置、防犯制御装置、防災制御装置（不図示）、昇降制御装置など｝とはＬＡＮ（Local Area Network）ケーブルＣを介して相互に通信可能に接続される。
【００２５】
そして、このビル監視システムＡでは、中央監視装置１０と前記各制御装置との間の通信プロトコルとして国際通信規格であるＢＡＣｎｅｔ（：A Data Communication Protocol for Building Automation and Control Networks）を用いているため、ＢＡＣｎｅｔに対応した装置であればベンダ（メーカや販売会社）を問わず前記各制御装置として用いることができ、コスト、規模、機能などの種々の目的に応じてマルチベンダによる柔軟なシステム構築が可能である。
【００２６】
このため、このビル監視システムＡでは、例えば、空調設備の制御装置はＡ社、照明設備の制御装置はＢ社、防犯設備の制御装置はＣ社、防災設備の制御装置はＤ社、昇降設備の制御装置はＥ社などのようなマルチベンダによる柔軟なシステム構築が可能であり、更に、前記マルチベンダ形態のように各制御装置が同一のベンダでなくとも全てのサブシステム（空調管理システム、照明管理システム、防犯管理システム、防災管理システム、昇降管理システムなど）を１つの中央監視装置１０で一括監視することが可能である。
【００２７】
また、各設備に複数の制御装置（後記の空調制御装置２０など）がある場合においても、それら複数の制御装置をマルチベンダによって構成することも可能である。
【００２８】
図２は、図１に示したビル監視システムＡに含まれる本発明を適用した空調管理システム１の構成を示すブロック図であり、特に、照度有効ゾーンＺを介して照度計５０に空調機４０が関連付けられている状態を示している。
【００２９】
図示のように、この空調管理システム１は、中央監視装置１０と、空調制御装置２０と、中継装置３０と、空調機４０と、照度計５０とを主体に構成される。なお、一般的に、この空調管理システム１では、空調制御装置２０、中継装置３０、空調機４０、照度計５０などの各構成要素がビルの各階毎に設置されるが、図２の例では、ビルの１階のある空調室に設置される各構成要素（２０〜５０）のみを図示し、２階以上の他の階に設置される各構成要素（２０〜５０）については図示を省略した。
【００３０】
ここで、中央監視装置１０は、例えば、タワー型などの据置型やノートブックなどの携帯型のパーソナルコンピュータなどで構成され、空調管理システム１を統括的に管理するための装置である。そして、この中央監視装置１０は、ＬＡＮケーブルＣを介して空調制御装置２０と通信可能に接続されており、ＢＡＣｎｅｔを用いて空調制御装置２０との間で空調機４０の運転の制御／管理に係るデジタル形式の各種データの通信を行う。なお、この中央監視装置１０は、例えば、ビルの管理人室などに設置される。
【００３１】
図３は、中央監視装置１０の一構成例を示すブロック図である。
【００３２】
図示のように、この中央監視装置１０は、制御部１１と、記憶部１２と、表示処理部１３と、操作入力処理部１４と、音声処理部１５と、記憶媒体処理部１６と、データ入出力部１７と、電源供給部１８などを備え、システムバスＳＢ１を介して各構成要素間でデータの送受信が行われるようになっている。
【００３３】
ここで、制御部１１は、この中央監視装置１０を統括的に制御するものであり、例えば、ＣＰＵ（Central Processing Unit）などで構成され、後記の記憶部１２に記憶されているビル監視用ソフトウエアＳなどの各種プログラムを解釈実行する。
【００３４】
記憶部１２は、制御部１１で解釈実行されるビル監視用ソフトウエアＳや、その他、中央監視装置１０で使用するソフトウエアや各種データなどを記憶保持するものであり、ＲＡＭ（Random Access Memory）やＲＯＭ（Read-Only Memory）などのメモリや、ハードディスクなどの記憶装置などから構成される。
【００３５】
なお、本実施形態のビル監視用ソフトウエアＳは、ビル監視システムＡにおける各種制御及び管理を実行するための各種制御プログラムと、その制御プログラムを実行する際に用いられる各種データ（グラフィック画面用の画像データなど）などから構成される。そして、ビル監視用ソフトウエアＳは、各サブシステムにおける各種制御及び管理を実行するための制御プログラムと、その制御プログラムを実行する際に用いられる各種データ（画像データなど）から構成される空調管理ソフトウエアＳ１１、照明管理ソフトウエアＳ１２、防犯管理ソフトウエアＳ１３、・・・、昇降管理ソフトウエアＳ１５などを含んでいる。
【００３６】
表示処理部１３は、ビル監視システムＡの各サブシステム（空調管理システム、照明管理システム、防犯管理システム、防災管理システム、昇降管理システムなど）の監視を行うための各種監視画面を表示するためのものであり、例えば、液晶ディスプレイ、ＣＲＴ（Cathode-ray tube）ディスプレイ、有機ＥＬ（Electroluminescence）ディスプレイなどの表示装置と、その表示装置における表示を制御する表示制御回路などから構成される。なお、この表示処理部１３は、本発明に係る空調管理システム１の監視画面として、空調制御装置２０における処理のログを表示したり、空調制御装置２０が保持する情報の設定や表示を行うための監視画面（後記の設定照度閾値の設定画面１３１など）を表示する。
【００３７】
図４は、表示処理部１３で表示される設定照度閾値の設定画面１３１の一構成例を示す図である。
【００３８】
図示されるように、この設定照度閾値の設定画面１３１は、後記の省エネルギー制御処理（図９参照）で実測照度値と比較される設定照度閾値（ルクス）を設定するための設定画面であり、この場合、後記の照度計５０毎に関連付けられる設定照度閾値｛図７（ｂ）のＴ２４参照｝を入力する設定照度閾値入力欄１３１ａと、その設定照度閾値入力欄１３１ａで入力した各設定照度閾値を確定するための確定ボタン１３１ｂとを備えている。
【００３９】
なお、本実施形態の設定照度閾値の設定画面１３１では、空調管理ソフトウエアＳ１１が実行され、例えば、空調管理に係る監視画面のトップ画面が表示され、そのトップ画面に備えられた設定照度閾値を設定する項目がシステム監視者や空調機利用者などの操作者によって選択された場合に表示される態様となっている。
【００４０】
また、この設定照度閾値は、操作者がキーボードなどを用いて任意の値を入力することも可能であるし、予め夏期及び冬期別に用意されている設定照度閾値を選択指定することも可能である。実際には、実際の運用上で試験を繰り返し行いながら適切な設定照度閾値を決定していくことが好ましい。
【００４１】
図３に戻って、操作入力処理部１４は、表示処理部１３で表示装置に表示された各種監視画面に係る各種設定値などの入力を受け付けるためのものであり、例えば、キーボードやマウスなどの入力装置と、その入力装置からの入力を処理する入力処理回路などから構成される。
【００４２】
音声処理部１５は、この中央監視装置１０が設置される場所にいるシステム監視者などにシステムの故障や異常を知らせるための警報音や音声を出力処理するものであり、例えば、スピーカと、そのスピーカから発声する音声の出力制御を行う音声処理回路などから構成される。
【００４３】
記憶媒体処理部１６は、記憶部１２に記憶されるデータであり、ビル監視用ソフトウエアＳや、そのビル監視用ソフトウエアＳの機能を拡張するための制御プログラムや各種データが記憶されたＣＤ（Compact Disc）やＤＶＤ（Digital Versatile Disc）などの記憶媒体を読み書きするためのものであり、例えば、ＣＤドライブやＤＶＤドライブなどから構成される。
【００４４】
具体的には、前記記憶媒体として、既存のＢＡＣｎｅｔ準拠のビル管理システムに本発明のプログラムを適用する場合において、本発明のプログラムを適用した後記の省エネ制御プログラム（Ｐ）及びその各種データ（空調機情報テーブルＴ１及び照度計情報テーブルＴ２）が空調制御装置２０にインストールされた際に、中央監視装置１０で設定照度閾値の設定画面１３１を表示させるために空調管理用ソフトウエアの機能を拡張するための制御プログラム及びその各種データが記憶された記憶媒体が想定される。
【００４５】
なお、中央監視装置１０がＵＳＢ（Universal Serial Bus）メモリに対応している場合には、前記記憶媒体に替えて、空調管理用ソフトウエアの機能を拡張するための制御プログラム及びその各種データが記憶されたＵＳＢメモリが用いられる。
【００４６】
データ入出力部１７は、ＬＡＮケーブルＣを介して１または複数の空調制御装置２０との間でデータの送受信を行う機能を有する。
【００４７】
電源供給部１８は、商業用電流を各構成要素に必要な電流に変換して供給するための電源装置である。
【００４８】
図５は、中央監視装置１０の制御部１１が、本発明のプログラムが適用された空調管理用ソフトウエアＳ１１を記憶部１２のＲＡＭ上において展開、実行することにより実現される閾値設定部１２０の機能構成を示す機能ブロック図である。
【００４９】
図示されるように、この閾値設定部１２０は、入力受付部１２１、設定画面表示部１２２、閾値通知部１２３などを有する。
【００５０】
ここで、入力受付部１２１は、操作入力処理部１４を介して操作者により設定照度閾値の入力要求を受け付けると、後記の設定画面表示部１２２に設定照度閾値の設定画面１３１（図４参照）の表示を指示する。
【００５１】
設定画面表示部１２２は、入力受付部１２１からの指示に従って、図４に示した設定照度閾値の設定画面１３１を表示処理部１３で表示させる。具体的には、液晶ディスプレイなどの表示装置に設定照度閾値の設定画面１３１を表示する。
【００５２】
閾値通知部１２３は、設定照度閾値の設定画面１３１で入力確定された設定照度閾値をデータ入出力部１７を介して空調制御装置２０に通知する。
【００５３】
なお、本実施形態の中央監視装置１０は、各空調機４０の設定温度を遠隔で変更することが可能である。具体的には、中央監視装置１０が、設定温度の数値を示すデジタル形式のデータをＬＡＮケーブルＣ、空調制御装置２０、伝送線Ｌ１経由で中継装置３０に伝送することで、中継装置３０が空調機４０で受信及び判断可能なアナログ信号などに変換し、伝送線Ｌ２経由で該当する空調機４０に前記アナログ信号を伝送することにより、空調機４０が受信したアナログ信号に基づいて設定温度を変更する。
【００５４】
また、本実施形態の中央監視装置１０は、前記設定温度変更機能の他に、従来周知である所定のスケジュール機能に従って空調機４０の電源をＯＮ／ＯＦＦする電源制御機能や、空調機４０の状態（電源状態及び運転モード）を監視する状態監視機能や、空調機４０の設定温度を監視する監視機能などを備えている。
【００５５】
更に、本実施形態の中央監視装置１０では、パルス発信機からのパルスを取るなどして各空調機４０の所定期間（時間、日、週、月などの期間）における消費電力量を確認するためのレポートを表示装置や印刷装置などの出力装置を介して出力することが可能であり、これにより、システム監視者や利用者が簡単に各空調機４０の消費電力量を確認することが可能である。
【００５６】
図２に戻って、空調制御装置２０は、空調機４０の運転を制御するための装置であり、自律分散制御装置（Ｉｃｏｎｔ）とも呼ばれる。即ち、空調管理システム１内に設置された各空調制御装置２０は、それぞれ自律して自己に所属する機器（中継装置３０や空調機４０）の制御を実行する。このため、いずれかの空調制御装置２０に故障が生じた場合でも、他の空調制御装置２０が自律して稼働するため、空調管理システム１全体が停止することを未然に防ぐことが可能である。
【００５７】
そして、この空調制御装置２０は、前記したようにＬＡＮケーブルＣを介して中央監視装置１０と通信可能に接続されるとともに、伝送線Ｌ１を介して複数の中継装置３０と通信可能に接続されており、米国エシェロン社が開発した知的分散制御ネットワーク技術であるＬｏｎＷｏｒｋｓ（登録商標）（：Local Operating Network）を用いて各中継装置３０との間で空調機４０の電源状態及び運転モードを示すデジタル形式のデータと、後記の照度計５０で測定され後記の中継装置３０で変換された実測照度値を示すデジタル形式のデータなどの通信を行い、それらを受信して管理する。なお、この空調制御装置２０は、例えば、ビルの階段下の電気パイプスペース（ＥＰＳ：Electric Pipe Space）などに設置される。
【００５８】
前記したように、空調制御装置２０と各中継装置３０との間の通信プロトコルとしてＬｏｎＷｏｒｋｓを用いているため、ＬｏｎＷｏｒｋｓに対応した装置であればベンダを問わず中継装置３０として用いることができ、コスト、規模、機能などの種々の目的に応じてマルチベンダによる柔軟なシステム構築が可能である。
【００５９】
また、各空調制御装置２０には、１または複数（例えば、最大で６３台など）の中継装置３０が接続可能とされており、例えば、小規模のビルなどで中継装置３０の必要台数が最大数の範囲内で収まる場合には、１つの空調制御装置２０でシステムを構築することが可能であるが、大規模のビルや、空調制御装置２０の故障によるシステム停止を考慮する場合などでは、複数の空調制御装置２０でシステムを構築することも可能である。
【００６０】
図６は、空調制御装置２０の一構成例を示すブロック図である。
【００６１】
図示のように、この空調制御装置２０は、制御部２１と、記憶部２２と、第１データ入出力部２３と、第２データ入出力部２４と、電源供給部２５などを備え、システムバスＳＢ２を介して各構成要素間でデータの送受信が行われるようになっている。
【００６２】
ここで、制御部２１は、この空調制御装置２０を統括的に制御するものであり、例えば、ＣＰＵ（Central Processing Unit）（請求項のコンピュータに相当するもの）などで構成され、後記の記憶部２２に記憶されている空調制御用ソフトウエアＳ２を解釈実行する。
【００６３】
記憶部２２は、制御部２１で解釈実行される空調制御用ソフトウエアＳ２などを記憶保持するものであり、ＲＡＭやＲＯＭなどのメモリなどから構成される。
【００６４】
なお、本実施形態の空調制御用ソフトウエアＳ２は、空調制御装置２０に接続される各空調機４０の制御及び管理を実行するための各種制御プログラムと、その制御プログラムを実行する際に用いられる各種データなどから構成される。そして、空調制御用ソフトウエアＳ２は、本発明に係る省エネルギー制御処理（図９参照）を実行するための省エネ制御プログラムＰと、その省エネ制御プログラムＰを実行する際に用いられる空調機情報テーブルＴ１、照度計情報テーブルＴ２などから構成される。
【００６５】
図７は、空調機情報テーブルＴ１及び照度計情報テーブルＴ２の一構成例を示すテーブル図である。
【００６６】
図７（ａ）に示すように、この空調機情報テーブルＴ１は、省エネルギー制御対象の空調機４０に関する各種情報を記憶するテーブルであり、例えば、空調機識別情報Ｔ１１、ゾーン情報Ｔ１２、電源状態Ｔ１３、運転モードＴ１４、設定温度Ｔ１５などの各項目を有している。
【００６７】
ここで、空調機識別情報Ｔ１１は、空調機４０を識別するための情報である。また、ゾーン情報Ｔ１２は、照度有効ゾーンＺを示す情報であり、後記の照度計情報テーブルＴ２を検索して省エネルギー制御対象の空調機４０に関連付けられた照度計５０、実測照度値及び設定照度閾値を検出する場合に用いられる情報である。また、電源状態Ｔ１３は、空調機４０の電源状態｛ＯＮ（運転中）またはＯＦＦ（停止中）｝を示す情報である。また、運転モードＴ１４は、空調機４０の運転モード（暖房運転モードまたは冷房運転モード）を示す情報である。また、設定温度Ｔ１５は、現在の省エネルギー制御対象の空調機４０の設定温度を示す情報である。
【００６８】
また、図７（ｂ）に示すように、照度計情報テーブルＴ２は、照度計５０（図２参照）に関する各種情報を記憶するテーブルであり、例えば、照度計識別情報Ｔ２１、ゾーン情報Ｔ２２、実測照度値Ｔ２３、設定照度閾値Ｔ２４などの各項目を有している。
【００６９】
ここで、照度計識別情報Ｔ２１は、照度計５０を識別するための情報である。また、ゾーン情報Ｔ２２は、照度有効ゾーンＺを示す情報である。また、実測照度値Ｔ２３は、照度計５０が計測している現在の照度値（即ち、空調制御の指標となる実測照度値）を示す情報である。また、設定照度閾値Ｔ２４は、照度計５０に関連付けられた省エネルギー制御対象の空調機４０に対し、本発明に係る省エネルギー制御を実行するか否かの判断、即ち、運転モード（冷房運転モード／暖房運転モード）別に、日差しの強弱によって空調機の省エネルギーが可能な状況であるか否かの判断を行うための設定閾値を示す情報である。
【００７０】
なお、前記設定閾値は、冷房運転モードと暖房運転モードとで異なる閾値、即ち、冷房時用の設定閾値と暖房時用の設定閾値を設定することも可能であるし、両モードで共通の閾値を設定することも可能である。
【００７１】
なお、既存のＢＡＣｎｅｔ準拠のビル管理システムに本発明のプログラムを適用する場合においては、本発明のプログラムを適用した省エネ制御プログラムＰ及びその各種データ（空調機情報テーブルＴ１及び照度計情報テーブルＴ２）をＵＳＢ端子などの所定の接続端子（不図示）を介して既存の空調制御装置２０にインストールすることで対応することが可能である。
【００７２】
図６に戻って、第１データ入出力部２３は、ＬＡＮケーブルＣを介して中央監視装置１０との間でデータの送受信を行う機能を有する。
【００７３】
第２データ入出力部２４は、伝送線Ｌ１を介して中継装置３０との間でデータの送受信を行う機能を有する。
【００７４】
電源供給部２５は、商業用電流を各構成要素に必要な電流に変換して供給するための電源装置である。
【００７５】
なお、本実施形態の空調制御装置２０では、各空調機４０の設定温度を変更することが可能である。具体的には、空調制御装置２０が、当該空調機４０の識別情報とともに設定温度の数値を示すデジタル形式のデータを伝送線Ｌ１経由で中継装置３０に送信し、中継装置３０で空調機４０で受信可能なアナログ信号などに変換し、中継装置３０が伝送線Ｌ２を介して該当する空調機４０に前記アナログ信号を送信することにより、空調機４０が受信したアナログ信号に応じて設定温度を変更する。
【００７６】
また、本実施形態の空調制御装置２０では、照度計５０からのアナログ信号に基づき実測照度値を算出する機能を有している。
【００７７】
図２に戻って、中継装置３０は、空調制御装置２０と、空調機４０及び照度計５０との間でデジタル形式のデータの送受信の中継を行う装置であり、Ｌｏｎモジュールとも呼ばれる。
【００７８】
そして、この中継装置３０は、伝送線Ｌ１を介して空調制御装置２０と通信可能に接続されるとともに、伝送線Ｌ２を介して空調機４０及び照度計５０と通信可能に接続されており、伝送線Ｌ２経由で空調機４０から入力された信号に基づき電源状態及び運転モードを示すデジタル形式のデータを伝送線Ｌ１経由で空調制御装置２０に送信したり、伝送線Ｌ２経由で照度計５０から入力された信号に基づき実測照度値を示すデジタル形式のデータを伝送線Ｌ１経由で空調制御装置２０に送信するなどの通信を行う。なお、この中継装置３０は、例えば、前記した空調制御装置２０と同様に前記ＥＰＳなどに設置される。
【００７９】
なお、この中継装置３０は、図示を省略しているが、例えば、伝送線Ｌ１を介して空調制御装置２０との間で信号の送受信を行う第１送受信回路と、伝送線Ｌ２を介して１または複数の空調機４０との間で信号の送受信を行うとともに、伝送線Ｌ２を介して照度計５０から測定信号を受信する第２送受信回路と、前記第１送受信回路及び第２送受信回路で受信した信号を一時的に記憶する一時記憶部と、それらとシステムバスを介して接続され、この中継装置３０を統括的に制御する制御部と、それらに必要な電流を供給する電源供給部などを主体に構成することができる。
【００８０】
また、この中継装置３０は、例えば、前記第２送受信回路と接続されるポート（端子）を複数個（例えば、デジタルポートなら「１６個」、アナログポートなら「８個」など）備えており、各ポートに、１または複数の空調機４０及び照度計５０と接続される複数の伝送線Ｌ２が接続される態様となっている。そして、この中継装置３０は、前記制御部の制御のもと、空調機４０や照度計５０から前記ポート及び第２送受信回路経由で入力されたアナログ信号をデジタル形式のデータに変換し、空調制御装置２０に送信する機能を実現している。
【００８１】
より具体的には、各中継装置３０の各ポートには、それぞれ空調制御装置２０に通知する情報の種類が割り当てられており、例えば、中継装置（１）３０の第１ポート（ポート番号「１−１」）には空調機（１）４０の電源状態が割り当てられ、中継装置（１）３０の第２ポート（ポート番号「１−２」）には空調機（１）４０の運転モードが割り当てられ、中継装置（１）３０の第３ポート（ポート番号「１−３」）には空調機（１）４０の設定温度が割り当てられる、などのようになっている。
【００８２】
そして、例えば、中継装置（１）３０は、第１ポート経由で電流が流れてきた場合または所定の信号が入力されてきた場合に、第１ポートがＯＮであることを示す所定のデジタル形式のデータを空調制御装置２０に送信する。これにより、空調制御装置２０が空調機（１）４０の電源状態が「ＯＮ」であると判断する。また、例えば、中継装置（１）３０は、第３ポート経由で４ｍＡの電流が流れてきた場合に、第３ポートが４ｍＡであることを示すデジタル形式のデータを空調制御装置２０に送信する。これにより、空調制御装置２０が、所定の変換式（例えば、４ｍＡなら１６度、２０ｍＡなら３０度と判断するための式など）で空調機（１）４０の設定温度が「１６度」であると判断する。
【００８３】
なお、既存の中継装置３０に本実施形態の照度計５０を接続する形態において、当該中継装置３０のポートが空いていない場合には、デイジーチェーン（複数の機器を数珠繋ぎにつないでいく配線方法）などを用いて中継装置３０を増設することで照度計５０を接続することが可能である。
【００８４】
空調機４０は、空調制御装置２０からの制御に基づいて運転する機能を有し、例えば、ダクト式空調機などの周知の空調機で実現され、ビルの部屋Ｒ（図２参照）の天井などに設置され、設置部屋Ｒの温度、湿度を調節したり、換気を行ったりすることで当該設置部屋Ｒの空気を快適な状態に保つための空気調和機である。
【００８５】
より具体的には、この空調機４０は、中央監視装置１０やリモコンＲＣなどで設定された設定温度になるように温度制御を行う機能を有しており、例えば、室内温度測定センサ（不図示）により検知された室内温度に基づき所定の設定温度になるように風量調節などの空調制御を実行する。
【００８６】
なお、図２の例では、室内ユニットのみを図示し、室外ユニット（不図示）は省略した態様となっているが、実際には室外ユニットも中継装置３０に通信接続される態様となっている。
【００８７】
また、この空調機４０は、前記したように伝送線Ｌ２を介して中継装置３０と通信可能に接続されるとともに、伝送線Ｌ３を介してリモコンＲＣと通信可能に接続されている。
【００８８】
リモコンＲＣは、設置部屋Ｒの壁ＷＬ（図２参照）などに設置され、信号線Ｌ３を介して空調機４０と通信可能に接続されており、ボタン操作などによって設置部屋Ｒに居る利用者から運転モード（暖房運転モード／冷房運転モード）の切り替え入力及び設定温度の変更入力を受付け、それら受付けた入力を空調機４０に送信する機能を有する。
【００８９】
照度計（ルクスメータ）５０は、ＬｏｎＷｏｒｋｓに対応した照度（ルクス）を測定する測定器であり、測定した照度を示すアナログ信号を伝送線Ｌ２に出力する。なお、本実施形態では、この照度計５０は、ビルなどの窓際、特に、日中の日差しや西日などの影響を強く受ける窓Ｗｄ（図２参照）の傍（窓際）などに設置される。
【００９０】
なお、この照度計５０には、当該照度計５０で測定された実測照度値に応じて後記の省エネルギー制御対象となる空調機４０が関連付けられる。図２の例では、照度有効ゾーン（１）Ｚを介して１つの照度計（１）５０に２つの空調機（１）４０及び空調機（２）４０が関連付けられている場合を示しているが、これ以外の関連付けの態様とすることも可能である。ここで、照度有効ゾーンＺとは、照度計５０を有効とする空調機４０の集まりを示すものであり、省エネルギー制御の対象とならない空調機４０には関連付けされないものである。
【００９１】
図８は、空調制御装置２０の制御部２１（図６参照）が、本発明のプログラムが適用された省エネ制御プログラムＰを記憶部２２のＲＡＭ上などにおいて展開、実行することにより実現される省エネ制御部２２０の機能構成を示す機能ブロック図である。
【００９２】
図示されるように、この省エネ制御部２２０は、空調機情報記憶処理部２２１、照度計情報記憶処理部２２２、電源ＯＮ／ＯＦＦ判定部２２３、運転モード判定部２２４、照度値比較判定部２２５、設定温度変更部２２６、空調機情報テーブルＴ１、照度計情報テーブルＴ２などを有する。
【００９３】
ここで、空調機情報記憶処理部２２１は、ＬＡＮケーブルＣを介して中央監視装置１０から受信したデータや、伝送線Ｌ１を介して中継装置３０経由で受信したデータ（空調機４０からの信号）または後記の設定温度変更部２２６からの信号に基づいて空調機情報テーブルＴ１の情報を更新記憶する。
【００９４】
照度計情報記憶処理部２２２は、ＬＡＮケーブルＣを介して中央監視装置１０から受信したデータや、伝送線Ｌ１を介して中継装置３０経由で受信したデータ（照度計５０からの信号）に基づいて照度計情報テーブルＴ２の情報を更新記憶する。
【００９５】
電源ＯＮ／ＯＦＦ判定部２２３は、空調機情報テーブルＴ１の電源状態情報に基づいて省エネルギー制御対象の空調機４０の電源状態｛ＯＮ（運転中）またはＯＦＦ（停止中）｝を判定する処理を実行する。
【００９６】
運転モード判定部２２４は、空調機情報テーブルＴ１の運転モード情報に基づいて省エネルギー制御対象の空調機４０の運転モード（暖房運転モード／冷房運転モード）を判定する処理を実行する。尚、運転モードは伝送線Ｌ１、Ｌ２、中継装置３０を介して取得することが可能である。
【００９７】
照度値比較判定部２２５は、照度計情報テーブルＴ２の実測照度値情報と設定照度閾値情報とに基づいて、省エネルギー制御対象の空調機４０の実測照度値と設定照度閾値とを比較して、実測照度値と設定照度閾値との大小関係を判定し、当該省エネルギー制御対象の空調機４０の運転モード（暖房運転モード／冷房運転モード）別に後記の設定温度変更部２２６に当該空調機４０の設定温度を所定温度（例えば、１度など）上げるまたは下げる指示を送出する処理を実行する。なお、ここでいう所定温度とは、システム側で自動的に設定温度を変更した場合でも空調機４０を利用する利用者の快適性を損なわないように考慮された任意の変更温度のことであり、本実施形態では、好ましくは「１度」に設定している。
【００９８】
設定温度変更部２２６は、前記照度値比較判定部２２５からの指示及び空調機情報テーブルＴ１の設定温度（例えば、「２３度」など）に基づいて、該当する空調機４０に対する変更後の設定温度の数値（例えば、「２２度」など）を示すデジタル形式のデータを第２データ出力部２４を介して送信する処理を実行する。
（空調管理システムの処理動作）
【００９９】
図９は、省エネ制御部２２０で実行される省エネ制御処理の流れを示すフローチャートである。なお、この省エネ制御処理は、省エネ制御対象の空調機４０毎に実行されるものであり、所定時間が経過する度に行われるものである。なお、所定時間には、任意の時間を設定することが可能であり、例えば、秒単位や分単位などの時間を設定することができる。
【０１００】
また、以下では、図２に示す照度有効ゾーン（１）Ｚに関連付けられた省エネ制御対象の空調機（１）４０に対する具体的な処理についても合わせて説明する。
【０１０１】
図示されるように、省エネ制御部２２０は、ステップＳ１において、各空調機４０毎に、タイマーなどで前回の省エネ制御処理から所定時間が経過したか否かの判定を行い、この判定の結果、所定時間が経過したと判定した場合に、次のステップＳ２に移行する。
【０１０２】
続いて、ステップＳ２において、電源ＯＮ／ＯＦＦ判定部２２３が動作して、空調機情報テーブルＴ１の情報に基づいて当該省エネ制御対象の空調機４０の電源状態を判定する。なお、空調機（１）４０の場合には、電源ＯＮ／ＯＦＦ判定部２２３が、空調機情報テーブルＴ１｛図７（ａ）参照｝における空調機（１）４０の電源状態情報から当該空調機（１）４０の電源状態が「ＯＮ」であると判定する。
【０１０３】
ステップＳ２の判定の結果、電源がＯＦＦ（即ち、運転停止中）であると判定された場合（ステップＳ２：電源ＯＦＦ）には、処理をステップＳ１に復帰させる。
【０１０４】
一方、ステップＳ２の判定の結果、電源がＯＮ（即ち、運転中）であると判定された場合（ステップＳ２：電源ＯＮ）には、続いて、ステップＳ３において、運転モード判定部２２４が動作して、空調機情報テーブルＴ１の情報に基づいて当該省エネ制御対象の空調機４０の運転モードを判定する。なお、空調機（１）４０の場合には、運転モード判定部２２４が、空調機情報テーブルＴ１における空調機（１）４０の運転モード情報から当該空調機（１）４０の運転モードが「冷房運転モード」であると判定する。
（運転モードが冷房運転モードである場合の処理）
【０１０５】
ステップＳ３の判定の結果、冷房運転モードであると判定された場合（ステップＳ３：冷房運転）には、続いて、ステップＳ４において、照度値比較判定部２２５が動作して、実測照度値が設定照度閾値以上または未満であるかの判定を行う。尚、後述するように、この判定は、設定照度閾値より大きいまたは以下であるかの判定に置き換えても良い。
【０１０６】
具体的には、ステップＳ４の処理では、照度値比較判定部２２５が、空調機情報テーブルＴ１における当該省エネ制御対象の空調機４０のゾーン情報から、照度計情報テーブルＴ２を検索して同じゾーン情報が設定されている照度計５０を特定する。次いで、照度値比較判定部２２５が、照度計情報テーブルＴ２において前記特定された照度計５０に対応する実測照度値と設定照度閾値を検出して両者を比較し、実測照度値が設定照度閾値以上または未満であるかの判定を行う。
【０１０７】
そして、照度値比較判定部２２５が、実測照度値が設定照度閾値未満であると判定した場合に、ステップＳ５に移行する。
【０１０８】
このステップＳ５の処理では、照度値比較判定部２２５から後段の設定温度変更部２２６に当該省エネ制御対象の空調機４０の設定温度を所定温度（例えば、「１度」など）上げる指示を送出する。
【０１０９】
補足すると、ステップＳ４の処理において、空調機（１）４０の場合には、照度値比較判定部２２５が、空調機情報テーブルＴ１における空調機（１）４０のゾーン情報から当該空調機（１）４０のゾーン情報が「１」であると判定し、そのゾーン情報「１」を用いて照度計情報テーブルＴ２から同じゾーン情報「１」が関連付けられた照度計５０として照度計（１）５０を特定する。次いで、照度値比較判定部２２５が、照度計（１）５０に対応する実測照度値（３９，０００）と設定照度閾値（４０，０００）を検出して両者を比較し、実測照度値が設定照度閾値以上または未満であるかの判定を行う。なお、この場合、照度値比較判定部２２５で実測照度値（３９，０００）が設定照度閾値（４０，０００）未満であると判定されるので（ステップＳ４：閾値未満）、次のステップＳ５の処理において、照度値比較判定部２２５から設定温度変更部２２６に空調機（１）４０の設定温度を所定温度（１度）上げる指示が送出される。この結果、設定温度変更部２２６が動作し、当該省エネ制御対象の空調機４０の設定温度を指示に従って所定温度（例えば、「１度」など）上げる処理が実行される。
【０１１０】
他方、ステップＳ４の処理において、照度値比較判定部２２５が、実測照度値が設定照度閾値以上であると判定した場合（ステップＳ４：閾値以上）には、処理をステップＳ１に復帰させる。
【０１１１】
つまり、本実施形態では、ステップＳ４で実測照度値が設定照度閾値未満と判定されると、空調機４０を停止することなくステップＳ５で設定温度を上げる処理を行い、その一方、ステップＳ４で実測照度値が設定照度閾値以上と判定されても、設定温度を下げる処理は行わないという、いわば一方向の制御である。この結果、空調機４０の作動（運転）が停止されることがないので、空調機４０を利用する利用者の快適性を損なわず、且つ、空調機４０の設定温度を上げるので、冷房運転時における空調機４０の省エネルギー（空調機の電力消費の節約を図ること）が可能となる。ちなみに、前記一方向の制御によりしばらくしてから暑くなってきたと感じた利用者は、自らリモコンＲＣで空調機４０の設定温度を下げる操作を実行することになる。したがって、双方向の制御、すなわち、自動的に温度を下げる制御も行うものと比較すると、本実施形態の方がリモコンＲＣによる操作を実行するまでの間の分だけ省エネルギーとなる。
（運転モードが暖房運転モードである場合の処理）
【０１１２】
一方、ステップＳ３の判定の結果、暖房運転モードであると判定された場合（ステップＳ３：暖房運転）には、続いて、ステップＳ６において、照度値比較判定部２２５が動作して、前記のステップＳ４で述べた処理と同様の処理によって実測照度値が設定照度閾値以上または未満であるかの判定を行う。尚、後述するように、この判定は、設定照度閾値より大きいまたは以下であるかの判定に置き換えても良い。
【０１１３】
そして、照度値比較判定部２２５が、実測照度値が設定照度閾値以上であると判定した場合に、ステップＳ７に移行する。
【０１１４】
このステップＳ７の処理では、照度値比較判定部２２５から後段の設定温度変更部２２６に当該省エネ制御対象の空調機４０の設定温度を所定温度（例えば、「１度」など）下げる指示が送出される。この結果、設定温度変更部２２６が動作し、当該省エネ制御対象の空調機４０の設定温度を指示に従って所定温度（例えば、「１度」など）下げる処理が実行される。
【０１１５】
他方、ステップＳ６の処理において、照度値比較判定部２２５が、実測照度値が設定照度閾値未満であると判定した場合（ステップＳ６：閾値未満）には、処理をステップＳ１に復帰させる。
【０１１６】
つまり、本実施形態では、ステップＳ６で実測照度値が設定照度閾値以上と判定されると、空調機４０を停止することなくステップＳ７で設定温度を下げる処理を行い、その一方、ステップＳ６で実測照度値が設定照度閾値未満と判定されても、設定温度を上げる処理は行わないという、いわば一方向の制御である。この結果、空調機４０の作動（運転）が停止されることがないので、空調機４０を利用する利用者の快適性を損なわず、且つ、空調機４０の設定温度を下げるので、暖房運転時における空調機４０の省エネルギー（空調機の電力消費の節約を図ること）が可能となる。ちなみに、前記一方向の制御によりしばらくしてから寒くなってきたと感じた利用者は、自らリモコンＲＣで空調機４０の設定温度を上げる操作を実行することになる。したがって、双方向の制御、すなわち、自動的に温度を上げる制御も行うものと比較すると、本実施形態の方がリモコンＲＣによる操作を実行するまでの間の分だけ省エネルギーとなる。
【０１１７】
ここで、一般的に空調機においては、設定温度と外気温との差が大きければ大きいほど消費電力が増加する傾向にある。従って、前記の省エネルギー制御処理のステップＳ５及びステップＳ７に示す処理とは、当該省エネルギー制御対象の空調機の省エネルギーのために当該空調機の設定温度を外気温との差が小さくなる方向に変更する処理のことである。
【０１１８】
即ち、前記した実施形態によれば、従来の省エネルギー制御機能（間欠運転制御やサイクル運転制御など）を備えていない空調管理システムにおいて、運転モード（冷房運転モード／暖房運転モード）別に、日差しの強弱によって省エネルギー制御対象の空調機の省エネルギーが可能な状況であると判断した場合に、従来の省エネルギー制御（間欠運転制御やサイクル運転制御）のように比較的長い間（例えば、１０分、３時間など）当該空調機の運転を停止させることなく、省エネルギーのためシステム側で自動的に当該空調機の設定温度を変更する、即ち、外気温との差が小さくなる方向（省エネルギー方向）に設定温度を変更することで、利用者（日射の影響を受ける利用者及び日射の影響を受けない利用者）の快適性をなるべく損なうことなく空調機の省エネルギーが可能となる。さらに、日差しの強弱が逆になったとしても省エネルギー方向とは逆方向には自動的には設定温度を変更しないことにより、必要な場合は利用者にリモコンＲＣで設定温度を変更させることとなるので、自動的に設定温度を元に戻すものに比べれば省エネルギーとなる。
【０１１９】
また、前記した実施形態によれば、システム監視者（その他、空調機を利用する利用者）にとっては、中央監視装置１０で照度閾値を設定するだけという簡単な作業を行うだけで省エネルギー制御機能を簡単に利用することができる。
【０１２０】
また、前記した実施形態によれば、従来の省エネルギー制御機能（間欠運転制御やサイクル運転制御など）などの空調機の消費電力の節約を図る省エネルギー制御機能を持たない既存の空調管理システム（即ち、ＢＡＣｎｅｔ準拠の空調管理システム）に低コストで省エネルギー制御機能を導入できる。
【０１２１】
より具体的には、既存のＢＡＣｎｅｔ準拠の空調管理システムに対し、ハードウエアとして、照度計と、当該照度計を中継装置に接続するための伝送線とを用意し、照度計に伝送線の一端を接続して他端を既存の中継装置の空きポート（端子）に差し込む作業と、ソフトウエアとして、本発明に係る省エネルギー制御機能を実現するためのプログラム及びその各種データ（空調機情報テーブル及び照度計情報テーブル）を既存の空調制御装置にインストールするという作業を行うだけ良いので、ハードウエア自体の代金及び設置工事費などを少なく抑えることができ、これにより、既存のＢＡＣｎｅｔ準拠の空調管理システムを所持する利用者に対して低コストで省エネルギー制御機能を提供することが可能である。
【０１２２】
また、前記した実施形態によれば、システム提供者にとっては、既存のＢＡＣｎｅｔ準拠の空調管理システムを利用することで、開発費用を少なく抑えて省エネルギー制御機能を提供することができる。
（空調機単体の構成）
【０１２３】
また、本発明に係る省エネルギー制御機能を空調機単体に適用することも可能である。
【０１２４】
図１０は、本発明を適用した空調機１００の一構成例を示すブロック図である。なお、図１０の例では、送風機、蒸発器などの熱交換器、圧縮機（コンプレッサ）、冷媒管などの周知の空調機に実装される構成要素については図示を省略し、ここでの説明も省略する。
【０１２５】
図示のように、この空調機１００は、リモコンＲＣ１から設定温度の変更を受付可能であり、太陽光を受光して空調制御の指標となる所定の実測値（実測照度値など）を測定する測定装置（照度計など）５０から、伝送経路（伝送線）Ｌ４を介して実測値を入力する入力部１１０と、当該空調機１００の運転モードが冷房運転モードであるとき、入力部１１０で入力した実測値と空調制御用に設定された冷房時の設定閾値とを比較し、実測値が冷房時の設定閾値以下または設定閾値未満と判定された場合に当該空調機１００の設定温度を所定温度上げる処理を実行するとともに、冷房運転モードのときには入力部１１０からの実測値に基づく空調機１００の設定温度の変更は温度を上げる方向のみ行う設定温度変更部１２０とを具備する。
【０１２６】
また、設定温度変更部１２０は、当該空調機１００の運転モードが暖房運転モードであるとき、入力部１１０で入力した実測値と空調制御用に設定された暖房時の設定閾値とを比較し、実測値が暖房時の設定閾値より大きいまたは設定閾値以上と判定された場合に当該空調機１００の設定温度を所定温度下げるとともに、暖房運転モードのときには入力部１１０からの実測値に基づく空調機１００の設定温度の変更は温度を下げる方向のみ行う処理を実行する。
【０１２７】
本実施形態の空調機によれば、前記空調管理システムとほぼ同様の効果を奏する。即ち、運転モード（冷房運転モード／暖房運転モード）別に、日差しの強弱によって省エネルギーが可能な場合に、当該空調機の運転を停止させることなく、空調機側で自動的に設定温度を変更するとともに、逆方向には自動では設定温度を変更しないことで、利用者の快適性をなるべく損なうことなく空調機の省エネルギーが可能となる。
【０１２８】
以上、例示的な実施形態に基づいて本発明を説明したが、本発明は前記した実施形態により限定されるものではなく、特許請求の範囲の記載内において種々の変更、改変を行うことが可能となる。
【０１２９】
例えば、前記した実施形態では、冷房運転モードと暖房運転モードの両モードを備えている空調機を省エネルギー制御対象の空調機として本発明に係る省エネルギー制御を実行する形態について説明したが、これ以外にも、前記冷房運転モード及び暖房運転モードのいずれか一方のみを備えている空調機を省エネルギー制御対象の空調機として本発明に係る省エネルギー制御を実行する形態としても良い。
【０１３０】
また、前記した実施形態では、省エネルギー制御対象の空調機が運転中の間は所定時間が経過する毎に本発明に係る省エネルギー制御処理を実行する形態について説明したが、これ以外にも、例えば、所定の時間帯（例えば、日中の日差しや西日などの影響を強く受ける時間帯など）だけ省エネルギー制御対象の空調機に対して前記省エネルギー制御処理を実行するような形態として良い。なお、前記所定の時間帯を中央監視装置１０で任意に設定できるようにすることも可能である。
【０１３１】
また、前記した実施形態では、省エネルギー制御処理のステップＳ６で、実測照度値が設定閾値以上である場合（閾値と同一を含める場合）にステップＳ７に移行し、他方、実測照度値が設定閾値未満である場合（閾値と同一を含めない場合）に処理をステップＳ１に復帰させる態様について説明したが、これ以外にも、例えば、省エネルギー制御処理のステップＳ６において、実測照度値が設定閾値より大きい場合（閾値と同一を含めない場合）にステップＳ７に移行し、他方、実測照度値が設定閾値以下である場合（閾値と同一を含める場合）に処理をステップＳ１に復帰させる態様としても良い。
【０１３２】
また、前記した実施形態では、設定温度と外気温との差を確認せずに、省エネルギー制御による設定温度の変更を行う形態について説明したが、これ以外にも、設定温度と外気温との差を確認して省エネルギーしなくても良いような設定温度の場合（即ち、省エネルギーにならない状況）には、前記の省エネルギー制御による設定温度の変更を行わないように設定することも可能である。
【０１３３】
また、前記した実施形態では、省エネルギー制御処理のステップＳ４で、実測照度値が設定閾値未満である場合（閾値と同一を含めない場合）にステップＳ５に移行し、他方、実測照度値が設定閾値以上である場合（閾値と同一を含める場合）に処理をステップＳ１に復帰させる態様について説明したが、これ以外にも、例えば、省エネルギー制御処理のステップＳ４において、実測照度値が設定閾値以下である場合（閾値と同一を含める場合）にステップＳ５に移行し、他方、実測照度値が設定閾値より大きい場合（閾値と同一を含めない場合）に処理をステップＳ１に復帰させる態様としても良い。
【０１３４】
また、前記した実施形態では、太陽光を受光して空調制御の指標となる所定の実測値を測定する測定装置（測定手段）として、照度計５０を利用する場合について説明したが、これ以外にも、例えば、前記照度計５０に替えて、日射の強さを測定する日射計などその他の測定装置を適用することも可能である。なお、照度計５０に替えて、他の測定装置を適用した場合には、空調制御装置２０において、その測定装置から出力された信号に基づいて実測値を算出できるように設定するとともに、その実測値と比較するための設定閾値を予め設定しておく必要がある。例えば、照度計５０に替えて日射計を適用した場合には、空調制御装置２０が日射計からの信号に基づいて実測日射値を算出し、その実測日射値を用いて省エネルギー制御処理を実行する。
【０１３５】
また、前記した実施形態では、照度計５０を窓際に設置する態様について説明したが、これ以外にも、例えば、デスクワークをする人の傍など窓際より少し離れた個所ではあるが、日差しの影響を受けるような個所などに照度計５０を設置するような形態としても良い。更に、照度計５０は窓毎に設置しても良いし、所定の窓にだけ対応させて設置するようにしても良い。
【０１３６】
また、前記した実施形態では、ビル監視用ソフトウエアＳのもと、各サブシステム用の各ソフトウエア（空調管理用ソフトウエアＳ１１、照明管理用ソフトウエアＳ１２、防犯管理用ソフトウエアＳ１３、・・・、昇降管理用ソフトウエアＳ１５）が動作する態様のソフトウエアについて説明したが、これ以外にも、各サブシステム用の各ソフトウエアが単独で動作する態様のソフトウエアとすることも可能である。
【０１３７】
また、前記した実施形態では、中央監視装置１０が１つ設置されている場合を例として説明したが、これ以外にも、複数の中央監視装置１０が設置される形態とすることも可能である。また、ＬＡＮケーブルＣにクライアント装置が接続されるような形態や、ＬＡＮケーブルＣに接続されたルータを介してインターネット経由で他のクライアント装置と通信接続されるような形態とすることも可能である。なお、そのような形態においては、前記した中央監視装置１０の機能と同様の機能を前記クライアント装置に実装することも可能である。
【０１３８】
また、前記した実施形態では、１つの中継装置（Ｎ）３０に、４台の空調機（１）４０〜空調機（４）４０と１つの照度計（１）５０が接続される場合（図２参照）を例として示したが、これ以外の接続形態とすることも可能である。
【０１３９】
また、前記した実施形態の空調管理システム１は、ビルなどの建造物の各階の各部屋毎に適用することも可能であるし、それ以外にも、所定の階の所定の部屋だけに適用することも可能である。
【０１４０】
また、前記した実施形態では、空調機４０としてダクト式空調機を例にした場合について説明したが、これ以外にも、他のタイプの空調機であっても良い。
【０１４１】
また、前記した実施形態では、空調機４０とリモコンＲＣとが伝送線Ｌ３によって接続される場合を例として説明したが、これ以外にも、無線によって空調機４０とリモコンＲＣとが通信可能に接続される形態としても良い。
【０１４２】
その他、前記した実施形態における装置構成、機能構成及びテーブルの構成や、表示画面の態様などは単なる例として記載したものであり、本発明はこれらにより限定されない。
【符号の説明】
【０１４３】
Ａ  ビル管理システム
１  空調管理システム
１０  中央監視装置
２０  空調制御装置
３０  中継装置
４０  空調機
５０  照度計
Ｃ  ＬＡＮケーブル
Ｌ１、Ｌ２、Ｌ３  伝送線
ＲＣ  リモコン
２２０  省エネ制御部
２２１  空調機情報記憶処理部
２２２  照度計情報記憶処理部
２２３  電源ＯＮ／ＯＦＦ判定部
２２４  運転モード判定部
２２５  照度値比較判定部
２２６  設定温度変更部
Ｔ１  空調機情報テーブル
Ｔ２  照度計情報テーブル 
【図１】
2011064344.tif 000003
【図２】
2011064344.tif 000004
【図３】
2011064344.tif 000005
【図４】
2011064344.tif 000006
【図５】
2011064344.tif 000007
【図６】
2011064344.tif 000008
【図７】
2011064344.tif 000009
【図８】
2011064344.tif 000010
【図９】
2011064344.tif 000011
【図１０】
2011064344.tif 000012